(57)【要約】【課題】位置関係を変更することなく表示データを圧縮し、ユーザが容易に設備系統の接続関係を把握できるようにする。【解決手段】  ＣＰＵは、ステップＳＴ２で、隣り合うＸn、Ｘn+1の２列のボックス群の互いに対応するボックスにそれぞれ空欄または行方向の線路が表示される列同一状態にあるかを判断し、列同一状態にある場合はステップＳＴ３でＸnの列のボックス全てを削除する。そして、ステップＳＴ４で次の２列Ｘn+1、Ｘn+2に移行し、ステップＳＴ５で最後の列まで達したと判断するとステップＳＴ６で終了する。最後の列となるまで２列Ｘn+1、Ｘn+2についてステップＳＴ２からステップＳＴ５までの動作を繰り返す。同様の動作を行にも行い、隣り合うＹn、Ｙn+1の２行について最後の行となるまで同様に判断をし、削除可能な行のボックスを全て削除する。【選択図】        図４
2008077212.tif 000002
【特許請求の範囲】
【請求項１】
同一の大きさに形成された複数個のボックスが行方向および列方向にマトリクス状に配置されてなる表示領域の表示データ、および上記表示領域の所定ボックスに対応して表示される設備シンボルおよび線路で構成される設備系統の表示データを圧縮する表示データ処理装置であって、
上記表示領域に係る表示データおよび上記設備系統の表示データを少なくとも記憶する記憶部と、
上記表示領域の表示データおよび上記設備系統の表示データに基づいて、行方向に隣り合う第１、第２の列のボックス群の互いに対応するボックスにそれぞれ行方向の連続した線路または空欄が表示される列同一状態にあるかを判断するとともに、列方向に隣り合う第１、第２の行のボックス群の互いに対応するボックスにそれぞれ列方向の連続した線路または空欄が表示される行同一状態にあるかを判断する判断部と、
上記判断部で、上記列同一状態にあると判断される場合、上記隣り合う第１、第２の列のボックス群のうちいずれかのボックス群を削除し、上記行同一状態であると判断される場合、上記隣り合う第１、第２の行のボックス群のうち、いずれかのボックス群を削除して上記表示データを圧縮する表示データ圧縮部とを備える
ことを特徴とする表示データ処理装置。
【請求項２】
上記記憶部は、複数の上記設備系統の表示データを記憶しており、
上記表示データ圧縮部は、上記記憶部が記憶する上記複数の設備系統の表示データから抜き出された所定の設備系統の表示データを圧縮する
ことを特徴とする請求項１に記載の表示データ処理装置。
【請求項３】
上記表示データ圧縮部で圧縮された上記表示データによる画像を表示する表示部と、
上記表示部で表示された上記画像を印刷するための印刷部とをさらに備える
ことを特徴とする請求項１に記載の表示データ処理装置。
【請求項４】
同一の大きさに形成された複数個のボックスが行方向および列方向にマトリクス状に配置されてなる表示領域の表示データ、および上記表示領域の所定ボックスに対応して表示される設備シンボルおよび線路で構成される設備系統の表示データを圧縮する表示データ処理方法であって、
記憶部に記憶された上記表示領域に係る表示データおよび上記設備系統の表示データに基づいて、行方向に隣り合う第１、第２の列のボックス群の互いに対応するボックスにそれぞれ行方向の連続した線路または空欄が表示される列同一状態にあるかを判断するとともに、列方向に隣り合う第１、第２の行のボックス群の互いに対応するボックスにそれぞれ列方向の連続した線路または空欄が表示される行同一状態にあるかを判断する判断ステップと、
上記判断ステップで、上記列同一状態にあると判断される場合、上記第１、第２の列のボックス群のうちいずれかのボックス群を削除し、上記行同一状態にあると判断される場合、上記第１、第２の行のボックス群のうちいずれかのボックス群を削除して上記表示データを圧縮する表示データ圧縮ステップとを備える
ことを特徴とする表示データ処理方法。
【発明の詳細な説明】
【技術分野】
【０００１】
この発明は、設備系統の表示データを圧縮する表示データ処理装置および表示データ処理方法に関する。
【０００２】
詳しくは、この発明は、複数個のボックスがマトリクス状に配置されてなる表示領域において、行方向に隣り合う２列のボックス群に行方向の連続した線路または空欄が表示される状態にある場合にいずれか１列を削除し、列方向に隣り合う２行のボックス群に列方向の連続した線路または空欄が表示される状態にある場合にいずれか１行を削除して設備系統の表示データを圧縮することによって、位置関係を変えることなく表示データを圧縮可能とし、ユーザが容易に設備系統の接続関係を把握できるようにした表示データ処理装置等に係るものである。
【背景技術】
【０００３】
従来、配電業務を行う際、ユーザは配電系統をフィーダごとに示した系統図を用いて接続関係の調査を行っていた。しかし、このような配電系統の系統図は、手書きで作成されていたため、配電系統が更新された場合はその都度作成しなければならなかった。
【０００４】
系統図は用紙サイズの大きい紙に作成されたため、かさばって持ち運びづらく、管理が困難であった上、ユーザが系統図を見ても用紙サイズが大きいため一目で接続関係を容易に把握することができなかった。また、系統図を全体的に小さく表示すると、用紙サイズは小さくなるものの、表示上の目印となる設備シンボル（例えば、開閉器等）等も同様に小さく表示されてしまい、大変見づらかった。
【０００５】
そこで、従来、このような配電系統をフィーダごとにデータで管理する装置が考案され、配電系統の更新の際においても容易に系統図を作成することが可能となった。また、特許文献１においては、配電系統の接続関係を図形化して出力する際に、配電系統を構成する設備シンボルや線路をコンパクトに配置して接続関係の把握を容易とした設備情報処理方法が開示されている。
【０００６】
この設備情報処理方法は、このように図形化された設備シンボルや線路を、複数個のボックスが行方向および列方向に配置されたマトリクス状の表示領域に表示する際に、この表示領域を構成するボックスのうち、空欄である空白エリアを検索して区間を並び替えて画像の圧縮処理を行うものである。
【０００７】
【特許文献１】特開平９−５４７８４号公報
【発明の開示】
【発明が解決しようとする課題】
【０００８】
しかし、特許文献１に記載の設備情報処理方法は、マトリクス状に配置されたボックスのうち、空欄が表示されているボックスが集合した空白エリアについては圧縮を行っていたものの、ボックスに表示され、フィーダを構成する線路自体の圧縮を行うことに関しては何ら示唆されていなかった。また、空白エリアを検索して区間を並び替えていたため、設備シンボルや線路の位置関係を変更することがあった。
【０００９】
このため、数ボックスにも連続して線路が表示されるような配電系統の印刷を行う際には、用紙サイズを大きくするか、小さく表示するしかなかった上、位置関係が変わってしまうため、ユーザは接続関係は把握できても、配電系統の位置関係を把握することが困難であった。
【００１０】
この発明の目的は、空欄のみならず線路を短縮するとともに、この線路が表示されたボックスを削除することで、表示データを圧縮して無駄なスペースを位置関係を変更することなく短縮し、ユーザが容易に設備系統の接続関係を把握することを可能とした表示データ処理装置等を提供することにある。
【課題を解決するための手段】
【００１１】
この発明の概念は、
同一の大きさに形成された複数個のボックスが行方向および列方向にマトリクス状に配置されてなる表示領域の表示データ、および上記表示領域の所定ボックスに対応して表示される設備シンボルおよび線路で構成される設備系統の表示データを圧縮する表示データ処理装置であって、
上記表示領域に係る表示データおよび上記設備系統の表示データを少なくとも記憶する記憶部と、
上記表示領域の表示データおよび上記設備系統の表示データに基づいて、行方向に隣り合う第１、第２の列のボックス群の互いに対応するボックスにそれぞれ行方向の連続した線路または空欄が表示される列同一状態にあるかを判断するとともに、列方向に隣り合う第１、第２の行のボックス群の互いに対応するボックスにそれぞれ列方向の連続した線路または空欄が表示される行同一状態にあるかを判断する判断部と、
上記判断部で、上記列同一状態にあると判断される場合、上記隣り合う第１、第２の列のボックス群のうちいずれかのボックス群を削除し、上記行同一状態であると判断される場合、上記隣り合う第１、第２の行のボックス群のうち、いずれかのボックス群を削除して上記表示データを圧縮する表示データ圧縮部とを備える
ことを特徴とする表示データ処理装置にある。
【００１２】
この発明において、表示領域に係る表示データとは、同一の大きさに形成された矩形の複数個のボックスが行方向（水平方向）および列方向（垂直方向）にマトリクス状に配置された表示領域を表示するための表示データである。この表示領域には、このようにマトリクス状に配置された複数個のボックスに対応するように、設備系統に係る表示データによる画像が表示される。
【００１３】
設備系統とは、例えば、配電系統である。この場合、設備系統に係る表示データとは、例えば開閉器等を示す設備シンボル、および線路（例えば配電線路）を表示するための表示データからなる。設備シンボルは所定ボックスに一つずつ表示され、また、線路は各ボックスに表示された線路が連続して並べられて表示される。
【００１４】
設備系統が複数個ある場合は、例えば配電線であれば、フィーダごとに分かれている。各設備系統を構成する線路は、区別しやすいように、それぞれ異なった色で表示される。設備シンボルも同じく、その設備シンボルが示す設備によって、例えば、形状や色が異なる。設備シンボルは、１つのボックス内に収まるように表示される。
【００１５】
表示領域を構成するボックスのうち、行方向に隣り合う２列のボックス群に行方向の連続した線路、または空欄が表示される、列同一状態にあるか否かを判断する。また、列方向も同様に、列方向に隣り合う２行のボックス群に列方向の連続した線路、または空欄が表示される、行同一状態にあるか否かを判断する。
【００１６】
行方向に隣り合う２列のボックス群に行方向の連続した線路または空欄が表示され、列同一状態にあると判断する場合には、行方向に隣り合う２列のボックス群のうち１列は削除可能であると判断し、いずれかの列、例えば左側の列を削除する。
【００１７】
同じように、列方向に隣り合う２行のボックス群に列方向に連続した線路または空欄が表示され、行同一状態にあると判断する場合は、列方向に隣り合う２行のボックス群のうち１列は削除可能であると判断し、上下のうちいずれかの行、例えば、下側の行を削除する。
【００１８】
このとき、例えば、２列または２行上にあるボックスのいずれかに設備シンボルが表示されている場合は、設備シンボルが表示された列または行を含む２列または２行を削除しない。つまり、設備シンボルと隣り合う２列または２行は削除されない。
【００１９】
この表示領域における最初の列から最後の列まで、このように行方向に２列ずつ判断を行い、上述した場合にあたると判断する場合に1列削除し、列方向にも最初の行から最後の行まで２行ずつ判断して削除を行うことにより、表示上無駄である、連続する線路や空欄を短縮することができ、設備系統の表示データを容易に圧縮することができる。
【００２０】
このようにしてコンパクトに配置された設備系統を用紙に印刷しても用紙サイズを大きくする必要がなく、持ち運び、管理が簡単である。また、用紙サイズが小さいにもかかわらず、設備シンボルや線路が見やすく、位置関係が変わっていないので、ユーザは設備系統の接続関係や位置関係を容易に把握することができる。
【発明の効果】
【００２１】
この発明によれば、複数個のボックスがマトリクス状に配置されてなる表示領域において、行方向に隣り合う２列のボックス群に行方向の連続した線路または空欄が表示される状態にある場合にいずれか１列を削除し、列方向に隣り合う２行のボックス群に列方向の連続した線路または空欄が表示される状態にある場合にいずれか１行を削除して設備系統の表示データを圧縮するものであり、位置関係を変えることなく表示データを圧縮可能とし、ユーザが容易に設備系統の接続関係を把握することができる。
【発明を実施するための最良の形態】
【００２２】
以下、図面を用いてこの発明の実施の形態について説明する。
【００２３】
図１は、表示データ処理装置１０の構成を示した図である。以下、図１を用いてその構成の説明を行う。
【００２４】
図１に示すように、この表示データ処理装置１０は、ＣＰＵ（Central Processing Unit）１１と、ＲＡＭ（Random Access Memory）１２と、ＲＯＭ（Read Only Memory）１３と、入出力Ｉ／Ｆ（Interface）１４と、ＨＤＤ（Hard Disk Drive）１５とを有しており、これらはバス１６に接続されている。また、入出力Ｉ／Ｆ１４には、ユーザーインターフェイスとしてのキーボード１４ａと、マウス１４ｂ、ディスプレイ１４ｃ、そしてプリンタ１４ｄが接続されている。
【００２５】
ＣＰＵ１１は、この表示データ処理装置１０全体の動作を制御するものであり、ＲＡＭ１２はＣＰＵ１１のプログラム実行におけるワークエリア等として使用され、ＲＯＭ１３にはＣＰＵ１１が必要に応じて読み出すことができるプログラムやデータ等が格納されている。ＣＰＵ１１は、ＲＯＭ１３に格納されているデータを必要に応じて読み出し、ＲＡＭ１２において展開して処理を行う。
【００２６】
入出力Ｉ／Ｆ１４は、データのやり取りの制御方法などを規定する。例えば、キーボード１４ａで入力された入力データは、入出力Ｉ／Ｆ１４を介してバス１６を通り、ＣＰＵ１１によって処理される。また、ＣＰＵ１１によって制御される表示データは、入出力Ｉ／Ｆ１４を介して、ディスプレイ１４ｃに供給される。ディスプレイ１４ｃは、ＬＣＤ（Liquid Crystal Display）等の表示器によって構成されている。
【００２７】
また、ディスプレイ１４ｃで表示された画像の印刷を行う場合は、表示データはＣＰＵ１１によって入出力Ｉ／Ｆ１４を介して、プリンタ１４ｄに出力されて、用紙にこの表示データによる画像が印刷される。
【００２８】
ＨＤＤ１５は、配電系統に係る表示データをフィーダごとに記憶するとともに、各フィーダの位置情報および接続関係等も記憶している。
【００２９】
以下、表示データ処理装置１０の使用方法を説明する。
【００３０】
ユーザは、表示データ処理装置１０を使用する際に、まず表示を希望する地域を、例えばキーボード１４ａを用いて入力する。ＣＰＵ１１はＨＤＤ１５からその希望地域にある全ての配電系統と表示領域の表示データを読み出して、バス１６、入出力Ｉ／Ｆ１４を介してディスプレイ１４ｃに供給する。
【００３１】
図２は、このときディスプレイ１４ｃに表示される、配電系統を示した図である。図２に示すように、複数個の正方形のボックスが行方向および列方向にマトリクス状に配置されてなる表示領域に、配電系統がフィーダごとに表示されている。実際はフィーダごとに線路の色が異なるが、図２においては、実線および破線で示している。
【００３２】
また、線路上には、開閉器や発電所、変電所等を示す、黒丸、白丸、ボックスで示される設備シンボルが表示されている。設備シンボルも同じく、実際にはそれぞれが示す設備によって色が異なる。なお、実際には、これらの設備シンボルとともに高圧および低圧の電圧を利用する工場等の利用者の戸数等を示す文字情報が記されているが、図２および後述する図３〜図８においてはこれらの文字を省略する。
【００３３】
ユーザが、例えば、実線で示すフィーダのみの表示を希望し、マウス１４ｂを用いて実線を選択すると、図３に示す表示データが抜き出されてディスプレイ１４ｃに表示される。図３は、実線で示すフィーダのみを示した表示例である。
【００３４】
図３に示すように、実線で示すフィーダの他にも、図２で破線で示すフィーダの一部の線路が表示されている。図３に示すように、線路の隣のボックスに平行に異なるフィーダの線路が表示されている場合は、２本の線路はフィーダが異なるものの、いずれも同じ電柱に張架されていることを意味する。このように他のフィーダの一部を表示することで、ユーザは電柱に張架された全フィーダの線路を把握することができる。
【００３５】
ユーザが図３に示す表示データの印刷を希望し、表示データが入出力Ｉ／Ｆ１４を介してプリンタ１４ｄに出力されて印刷される。図３に示す表示データによる画像は大きいため、印刷の際には、かなり大きな用紙サイズを用いなければならず、このままでは持ち運びも大変な上、ユーザは一見しただけでは接続関係を把握することが困難である。
【００３６】
以下、表示データを圧縮して表示するために、表示上長い線路や空欄が表示された不必要なボックスを削除して、短縮する方法について説明する。例えば、図３においては、点線枠２０ａ、２０ｂの枠で囲まれた部分は、線路または空欄が表示されたボックスが連続して並べられており、表示上不必要な線路、ボックスであるといえる。
【００３７】
図４および図５は、図１に示す表示データ処理装置１０のＣＰＵ１１が削除可能なボックスであるかを判断し、削除する動作を示したフローチャートである。図４は削除可能な列を削除して短縮する場合のＣＰＵ１１の動作を示し、図５は削除可能な行を削除して短縮する場合のＣＰＵ１１の動作を示すものである。
【００３８】
なお、図４においては、行方向をＸ軸とし、左から右へＸ1からＸnmax（最後の列）までの各列のボックスを削除可能であるか判断し、図５においては、列方向をＹ軸とし、Ｙ1からＹmmax（最後の行）までの各行のボックスを削除可能であるか判断する。以下、図４、図５の順にＣＰＵ１１の動作の説明を行う。
【００３９】
図４は、上述したように、ボックスを行方向に短縮する場合のＣＰＵ１１の動作を示すフローチャートである。
【００４０】
ＣＰＵ１１は、ステップＳＴ１で、まず、Ｘ座標が１（ｎ＝１）、つまり左端の列にあるボックスからスタートして、ステップＳＴ２で左右に隣り合うＸ1およびＸ2の２列のボックス群の互いに対応するボックスに、それぞれ空欄または同一方向、この場合、行方向（Ｘ軸方向）の線路が表示されている状態（列同一状態）にあるか否かを判断する。
【００４１】
例えば、図３に示す点線枠２０ａでは、左端の列をＸ1とすると、この列にあるボックスはいずれも空欄が表示されており、隣り合うＸ2の列にあるボックスもいずれも空欄である。この場合、ＣＰＵ１１はステップＳＴ２で、隣り合うＸ1、Ｘ2の２列のボックスが列同一状態にあると判断し、ステップＳＴ３に進む。このときＣＰＵ１１は判断部を構成している。
【００４２】
また、ステップＳＴ２でこの２列のボックス群が列同一状態にないと判断する場合、例えば、Ｘ1の列にあるボックスに列方向の線路が表示されている場合は、ステップＳＴ４に進む。図３に示す点線枠２０ａ内の３列目、（Ｘ3とする）のように、ボックスに設備シンボルが表示されている場合も同じである。
【００４３】
ＣＰＵ１１は、ステップＳＴ３において、左側の列、この場合Ｘ1の列にあるボックスを全て削除する。このときＣＰＵ１１は表示データ圧縮部を構成している。この後、ステップＳＴ４に進む。
【００４４】
ステップＳＴ４では、ｎをインクリメントする。ステップＳＴ５では、ＣＰＵ１１はｎ=ｎmaxであるか、つまり最後の列までこの動作を行ったか否かを判断し、最後の列まで動作を行ったときは、ステップＳＴ６で動作を終了する。
【００４５】
ステップＳＴ５でＣＰＵ１１がｎ=ｎmaxではないと判断する場合は、ＣＰＵ１１はステップＳＴ２に戻って、この場合であれば、次のＸ2とＸ3の２列が列同一状態にあるかを判断し、ステップＳＴ５でｎ=ｎmaxであると判断するまで、ステップＳＴ２〜ＳＴ５の動作を繰り返す。
【００４６】
図６は、図３の点線枠２０ａ内の全ての列に関して、ＣＰＵ１１が図４のフローチャートに示す動作を行って得られた表示データの圧縮結果を示している。図６に示すように、削除しても表示上問題のない空欄や、不必要に長かった線路が表示されるボックスが列ごと削除されて、配電系統の表示データが横方向（矢印方向）に圧縮されている。
【００４７】
図６では、短縮前の、図３に示す実線を一点鎖線で示している。このように、この配電系統の表示データを横方向に圧縮してコンパクトに表示することが可能となった。
【００４８】
図５は、上述したように、ボックスを列方向に短縮する場合のＣＰＵ１１の動作を示すフローチャートである。ＣＰＵ１１は、ステップＳＴ１１でＹ座標が１（ｍ＝１）、つまり図３に示す表示領域の、一番下の行にあるボックスから動作をスタートし、ステップＳＴ１２で、上下に隣り合うＹ1およびＹ2の２行のボックス群の互いに対応するボックスにそれぞれ空欄または同一方向、この場合、列方向（Ｙ軸方向）の線路が表示されている状態（行同一状態）にあるか否かを判断する。
【００４９】
例えば、図３に示す点線枠２０ｂでは、下端の行をＹ1とすると、この行にあるボックスには列方向の線路または空欄が表示されており、隣り合うＹ2の行にあるボックスのいずれにも列方向の線路または空欄が表示されている。この場合、ＣＰＵ１１はステップＳＴ１２で、隣り合うＹ1、Ｙ2の２行のボックスが行同一状態にあると判断し、ステップＳＴ１３に進む。このときＣＰＵ１１は判断部を構成している。
【００５０】
また、ステップＳＴ１２でこの２行のボックス群が行同一状態にないと判断する場合、例えば、Ｙ1の列に行方向の線路が表示されている場合は、ステップＳＴ１４に進む。例えば、図３に示す点線枠２０ｂ内の１３行目（Ｙ13とする）のように、ボックスに設備シンボルが表示されている場合も同じである。
【００５１】
ＣＰＵ１１は、ステップＳＴ１３において、下側の行、この場合、Ｙ1にあるボックスを全て削除する。このときＣＰＵ１１は表示データ圧縮部を構成している。この後、ステップＳＴ１４に進む。
【００５２】
ステップＳＴ１４では、ｍをインクリメントする。ステップＳＴ１５では、ＣＰＵ１１はｍ＝ｍmaxであるか、つまり最後の行までこの動作を行ったか否かを判断し、最後の行まで動作を行ったときは、ステップＳＴ１６で動作を終了する。
【００５３】
ステップＳＴ１５でＣＰＵ１１がｍ＝ｍmaxではないと判断する場合は、ＣＰＵ１１はステップＳＴ１２に戻って、この場合であれば、次のＹ2とＹ3の２行が行同一状態にあるかを判断し、ステップＳＴ１５でｍ＝ｍmaxであると判断するまで、ステップＳＴ１２〜ＳＴ１５の動作を繰り返す。
【００５４】
図７は、図３の点線枠２０ｂ内の全ての行に関して、ＣＰＵ１１が図５のフローチャートに示す動作を行って得られた表示データの圧縮結果を示している。図７に示すように、削除しても表示上問題のない空欄や、不必要に長かった線路が表示されるボックスが行ごと削除されて、配電系統の表示データが縦方向（矢印方向）に圧縮されている。
【００５５】
図７では、短縮前の図３で示す実線を一点鎖線で示し、短縮前の破線を二点鎖線で示している。このように、この配電系統の表示データを縦方向に圧縮してコンパクトに表示することが可能となった。
【００５６】
以上、図４、５を用いて示したステップＳＴ１〜ＳＴ６の動作、およびステップＳＴ１１〜ＳＴ１６の動作をＣＰＵ１１が行うことにより、表示データが列、行方向に圧縮されて、位置関係が変わることなくコンパクトに表示されるので、ユーザはその接続関係を容易に把握することが可能となる上、プリンタ１４ｄにこの表示データによる画像を出力して印刷を行っても、用紙サイズを大きくしたりする必要がなく、持ち運びや管理がしやすい。
【００５７】
なお、上述の実施の形態においては、この表示データ処理装置１０を、配電設備系統の表示データを圧縮する目的で用いたが、これに限定されることはなく、例えば、水道、ガスの設備系統、または、鉄道、バスの路線を系統ごとに示した路線図の表示データを圧縮する際にも用いることができる。
【産業上の利用可能性】
【００５８】
この発明は、表示上無駄なスペースを削除して位置関係を変えることなく設備系統の表示データを圧縮するものであり、例えば配電系統の表示データを圧縮する際に適用することができる。
【図面の簡単な説明】
【００５９】
【図１】表示データ処理装置１０の構成を示すブロック図である。
【図２】フィーダごとの配電系統の表示例を示す図である。
【図３】選択されたフィーダの配電系統の表示例を示す図である。
【図４】列を短縮する場合のＣＰＵ１１の動作を示したフローチャートである。
【図５】行を短縮する場合のＣＰＵ１１の動作を示したフローチャートである。
【図６】列を短縮した線路の表示例を示す図である。
【図７】行を短縮した線路を表示例を示す図である。
【符号の説明】
【００６０】
１０・・・表示データ処理装置、１２・・・ＲＡＭ、１３・・・ＲＯＭ、１４・・・入出力Ｉ／Ｆ、１４ａ・・・キーボード、１４ｂ・・・マウス、１４ｃ・・・ディスプレイ、１４ｄ・・・プリンタ、１５・・・ＨＤＤ、１６・・・バス
【図１】
2008077212.tif 000003
【図２】
2008077212.tif 000004
【図３】
2008077212.tif 000005
【図４】
2008077212.tif 000006
【図５】
2008077212.tif 000007
【図６】
2008077212.tif 000008
【図７】
2008077212.tif 000009